(57)【要約】【課題】  インクミストの拡散防止【解決手段】  キャリッジが走行するガイドレールを支持するレールステーと、用紙を搬送するピンチローラの保持部材である加圧アームとの間にインクミストを吸気するダクトを設ける。ダクトから、ピンチローラの上部に近接して吸気口を設ける。吸気口は用紙の全幅に渡ってインクミストを吸気できるようにする。【選択図】  図１
2007130925.tif 000002
【特許請求の範囲】
【請求項１】
キャリッジが走行するガイドレールを支持するレールステーを有し、
用紙を搬送するピンチローラの保持部材である加圧アームとの間にインクミストを吸気するダクトを設け
前記ダクトから、ピンチローラの上部に近接して用紙の全幅に渡ってインクミストを吸気できる吸気口を設けたことを特徴とするインクジェット記録装置。
【発明の詳細な説明】
【技術分野】
【０００１】
本発明は、プリンター、複写機、ファクシミリ等の出力機器に搭載されるインクジェット記録装置に関する。
【背景技術】
【０００２】
インクジェット記録装置では、インクを吐出して画像を記録（印字という）する際に、印字に拘わる主滴に伴い、細かい霧状の液滴(インクミスト)を発生することがある。インクミストは、主滴に比べ微小な液滴であって移動速度が著しく遅く、その大部分は記録媒体に着弾しない。そのため、キャリッジの往復移動による気流によって記録装置内部の空気に拡散する。そのインクミストの一部は、記録装置が外気と通じている部位、例えばカバーの隙間や排紙口、においては空気と共に出入りがあるものの、大部分は記録装置内部に停留して、空気中を浮遊している。
【０００３】
図６には、従来のインクジェット記録装置の主要部斜視図を示す。図７は、従来のキャリッジから発生するインクミストの様子を表す正面図である。図６及び図７を参照して、インクミストの拡散を説明する。
【０００４】
１０１は、記録ヘッド１１１、１１２、１１３、１１４、１１５、１１６を搭載したキャリッジであり、ガイドレール１０２を摺動して、矢印Ａ、Ｂ方向に往復移動（走査とも言う）する。キャリッジ１０１は、インクジェット記録装置がスタンバイ状態や休止中の非印字動作の際に位置するホームポジションも表す。
【０００５】
１０１ａは、キャリッジが印字する際のスタートポジションである。ホームポジション１０１よりもやや用紙側に位置している。
【０００６】
１０１ｂは、キャリッジが一回の走査を終了した際の反転ポジションである。
【０００７】
１０３ａは、ピンチローラ、１０３ｂは、搬送ローラで、ピンチローラ１０３ａと搬送ローラ１０３ｂとで、用紙１２０を矢印Ｃ方向に間欠送りするローラ対を構成する。
【０００８】
１０４は、記録ヘッド１１１〜１１６をクリーニングする回復装置である。
【０００９】
１０５は、記録ヘッド１１１〜１１６と用紙１２０とのギャップを保証するプラテンである。
【００１０】
キャリッジの１回の走査で印字すると、被記録部１２０ａが形成され、キャリッジが停止している間に矢印Ｃの方向に用紙１２０を所定のピッチで用紙送りを行い、その後にまたキャリッジを走査して印字する。
【００１１】
このようにして画像を記録する際、インクミストが発生する。図６、図７には、キャリッジが、図６の矢印Ａ方向に移動した場合のインクミスト発生の様子を表している。図７のキャリッジ１０１ｃでは、印字中に記録ヘッドと用紙１２０の間に発生したインクミスト２０１ａが、キャリッジの移動に伴い、キャリッジの後方に拡散して、インクミスト２０１となる様子を表している。一旦拡散したインクミストは、更に記録装置内部に拡散し浮遊する。
【００１２】
又、別の従来例としては、特許文献１及び特許文献２をあげることが出来る。
【特許文献１】特開２００１-１３８５４８号公報
【特許文献２】ＵＳＰ  ５２９６８７３号明細書
【発明の開示】
【発明が解決しようとする課題】
【００１３】
これらのインクミストが記録装置内部に浮遊し続けると、以下のような不具合を生じることがある。
【００１４】
（１）キャリッジユニット動作等の精度を高めるために設けられたエンコーダにインクミストが付着し、エンコーダの読み取り精度が著しく低下する。
【００１５】
（２）キャリッジユニットが走査摺動する部分、例えば、ガイドレールにインクミストが付着した場合、インクミストの増粘や固化によってキャリッジユニットの摺動抵抗が増大し、キャリッジユニットが動作不良を起こす。
【００１６】
（３）電気部品の接点部にインクミストが付着して、電気部品が動作不良を引き起こす。
【００１７】
本発明は、インクを吐出する際に発生するインクミストを記録装置内部に拡散させず、インクミストによる上記課題を解消できるインクジェット記録装置を提供する。
【課題を解決するための手段】
【００１８】
上記目的を達成するための本発明の構成は、キャリッジが走行するガイドレールを支持するレールステーを有し、用紙を搬送するピンチローラの保持部材である加圧アームとの間にインクミストを吸気するダクトを設け前記ダクトから、ピンチローラの上部に近接して用紙の全幅に渡ってインクミストを吸気できる吸気口を設けたことを特徴とするインクジェット記録装置である。
【発明の効果】
【００１９】
本発明は、インクを吐出する際に発生するインクミストを記録装置内部に拡散させず、排出することができる。
【発明を実施するための最良の形態】
【００２０】
次に、本発明の詳細を実施例の記述に従って説明する。
【実施例１】
【００２１】
図１は、インクジェット記録装置の斜視図である。
【００２２】
図２は、図１をＸ方向から見た断面図である。
【００２３】
図３は、図１をＺ方向から見た断面図である。
【００２４】
図１〜図３の説明において、図６、図７と同じ符号についての説明は割愛する。
【００２５】
１０６は、ガイドレール１０２と、もう一つのガイドレール１０２ａを支持するレールステーである。キャリッジは、ガイドレール１０２、１０２ａを摺動する。
【００２６】
１０７は、加圧バネ１０９を受けるメインステーである。
【００２７】
１０８は、用紙１２０を記録装置外部に案内して排紙する排紙ガイドである。
【００２８】
１２１は、用紙１２０を巻いてあるロール。
【００２９】
１２２は、ロール１２１から繰り出された用紙をピンチローラ１０３ａ、搬送ローラ１０３に案内するガイド板。
【００３０】
１３１は、カバーである。プラテン１０５の排紙側の部位となるプラテンガイド１０５ａとの間に開口した排紙口１３１ａを形成する。
【００３１】
１１は、ピンチローラ１０３ａとの間にインクミストを吸い込むための第一の吸気口１１ａを形成した吸気ガイドであり、レールステー１０６に取り付けられている。用紙１２０の幅Ｍよりも広い幅Ｌである。また、キャリッジのスタートポジション１０１ａと、反転ポジション１０１ｂとの間隔Ｋよりも小さい。吸気ガイド１１の両側は、開口１１ｂ、１１ｃが形成され、吸気口１１ａと共にインクミストを吸気する。なお、吸気口１１ａの開口面積は、開口１１ｂ、１１ｃの開口面積の和よりも大きく、吸気流量は、吸気口１１ａが最も大きい。
【００３２】
１２は、一端にピンチローラ１０３ａを回転可能に保持した加圧アームである。加圧アーム１２の支点１２ｂを介して、加圧バネ１０９によりピンチローラ１０３ａは、搬送ローラ１０３ｂに押し付けられる。加圧アーム１２は、吸気ガイド１１の下方で、ピンチローラ１０３ａの上方に吸気ガイド１２ａを設けている。ピンチローラ１０３ａと、加圧アーム１２は、用紙１２０の幅Ｍに渡り複数個が、用紙の幅方向にはほとんど隙間無く配置されている。
【００３３】
１３、２３は、レールステー１０６と加圧アーム１２との間に設けたダクトである。ダクト１３には、第二の吸気口１７ａ、１７ｂ、１７ｃの三つが仕切りにより設けられ、フィルター１４ａ、１４ｂ、１４ｃを内蔵し、チャンバー１６で集合される。チャンバー１６には、ファン１５を設けている。同様にダクト２３は、第二の吸気口２７ａ、２７ｂ、２７ｃの三つが仕切りにより設けられ、フィルター２４ａ、２４ｂ、２４ｃを内蔵し、チャンバー２６で集合される。チャンバー２６には、ファン２５を設けている。
【００３４】
フィルターは、発砲ウレタン性で、密度は１インチ当り８孔（孔径約３ｍｍ程度）のものが最適である。
【００３５】
ファン１５、２５により空気は、排紙口１３１ａから空気流Ｆ１として記録装置外から内部へ流れる。吸気口１１ａでインクミストと共に混合気流Ｆ２、Ｆ２’となり、開口１１ｂ、１１ｃで混合気流Ｆ６、Ｆ６’となる。フィルター１４ａ、１４ｂ、１４ｃ、２４ａ、２４ｂ、２４ｃを通過することによりインクミストはトラップされて、チャンバー１６、２６で空気流Ｆ４、Ｆ４’となる。最後に空気流Ｆ５、Ｆ５’として、記録装置の枠１３０の外部へ排気される。なお、混合気流Ｆ２、Ｆ２’、混合気流Ｆ６、Ｆ６’以外の風路は、殆どないため、前記混合気流として吸込むことができる。
【００３６】
吸気ガイド１１と、加圧アーム１２に設けた吸気ガイド１２ａにより構成した吸気口１１ａをピンチローラ１０３ａの上部に近接させて配置したことにより、キャリッジが通過した直後にインクミストを吸い込むことができるため、インクミストが拡散することなく、回収できる。また、開口１１ｂ、１１ｃによりキャリッジが反転する際の横側からもインクミストを吸い込め、効率的に回収できる。
なお、より効率的に回収するためには、吸気口１１ａ、開口１１ｂ、１１ｃにおける空気の流速は、キャリッジの走査速度の1/2以上に、またより好ましくはキャリッジの走査速度以上に設定することが望ましい。
【００３７】
前述の例ではダクト内を六つに分割し、二つのファンを設けて、一つのファンで三つの風路を割り当てる例であるが、これにとらわれることなく、風路個別にファンを六個設けてもよく、六個一まとめにしてファン一個でもよい。
【実施例２】
【００３８】
図４は、インクジェット記録装置のキャリッジ部の斜視図であり、図１の構成に対し、キャリッジ１０１ｃに誘導板１、３を設けた図である。
【００３９】
図５（ａ）は、図４の矢印Ｙ方向から見た正面図であり、キャリッジ１０１ｃが、矢印Ａ方向に走査している場合の図である。
【００４０】
図５（ｂ）は、図５（ａ）の右側面である。
【００４１】
誘導板１、３は、記録ヘッドと用紙１２０のギャップＧよりも大きいギャップＨで、キャリッジの両側に設けられている。吸気口１１ａと用紙１２０の高さＪよりも小さい。誘導板１と吸気口１１ａの間は、ディフューザー２を設け、誘導板１から吸気口１１ａまで漸次拡大する風路を形成している。誘導板３についても同様にディフューザー４が設けられている。
【００４２】
ギャップＧで発生したインクミスト２０１ａは、ギャップＨにおいてインクミスト２０２、２０３と少しずつ拡散するが、長さＲの分だけ誘導板１で規制されている。ギャップＧにおいては、隙間が小さいため、吸気の流れが起こりにくいが、ギャップＨにおいては、間隔が広がる為に流れＶが生じる。そのため誘導板１からディフューザー２を通して、吸気口１１ａにインクミストが混合気流として吸込まれ易くなる。
【００４３】
第一の実施形態に対し、インクミストの拡散を防止でき、効率的に回収することができる。
【００４４】
長さＲが大きい程、回収効率がよい。
【００４５】
誘導板３については、キャリッジ１０１ｃが矢印Ａと逆方向に移動した場合に全く同様の効果がある。
【実施例３】
【００４６】
図８（ａ）は、図４の矢印Ｙ方向から見た正面図であり、キャリッジ１０１ｃが、矢印Ａ方向に走査している場合の図であり、さらに誘導板の形状を変えた場合の図である。
【００４７】
図８（ｂ）は、図８（ａ）の右側面である。
【００４８】
誘導板１、３の外側には、絞り１ａ、３ａをそれぞれ設けている。その他の構成は第二の実施形態と同様である。
【００４９】
誘導板１について説明する。ギャップＧから少しだけ拡散したインクミスト２０３は、絞り１ａによって、空間１ｂに閉じ込められながらも、気流の風路を確保した形状である。空間１ｂ内に流れＷを形成し、第二の実施形態の流れＶよりも損失が少ないため、更に効率的に回収ができる。
【００５０】
長さＲが大きい程、回収効率がよい。
【００５１】
誘導板３については、キャリッジ１０１ｃが矢印Ａと逆方向に移動した場合に全く同様の効果がある。
【図面の簡単な説明】
【００５２】
【図１】インクジェット記録装置の斜視図である。
【図２】図１をＸ方向から見た断面図である。
【図３】図１をＺ方向から見た断面図である。
【図４】インクジェット記録装置のキャリッジ部の斜視図である。
【図５】図４の矢印Ｙ方向から見た正面図、および右側面である。
【図６】従来のインクジェット記録装置の主要部斜視図を示す。
【図７】従来のキャリッジから発生するインクミストの様子を表す正面図である。
【図８】図４の矢印Ｙ方向から見た正面図、および右側面である。
【符号の説明】
【００５３】
１１  吸気ガイド
１１ａ  吸気口
１１ｂ  開口
１１ｃ  開口
１２  加圧アーム
１２ａ  吸気ガイド
１４ａ  フィルター
１４ｂ  フィルター
１４ｃ  フィルター
１５  ファン
１６  チャンバー
２４ａ  フィルター
２４ｂ  フィルター
２４ｃ  フィルター
２５  ファン
２６  チャンバー
１０２  ガイドレール
１０２ａ  ガイドレール
１０６  レールステー
１３１ａ  排紙口
【図１】
2007130925.tif 000003
【図２】
2007130925.tif 000004
【図３】
2007130925.tif 000005
【図４】
2007130925.tif 000006
【図５】
2007130925.tif 000007
【図６】
2007130925.tif 000008
【図７】
2007130925.tif 000009
【図８】
2007130925.tif 000010